【手続補正書】
【提出日】平成15年8月21日(2003.8.21)
【手続補正１】
【補正対象書類名】明細書
【補正対象項目名】００８６
【補正方法】変更
【補正の内容】
【００８６】
次に、上述した集中制御局１１０１、リアルタイムデータ端末１１０３、ノンリアルタイムデータ端末１１０４で使用する無線部およびチャネルコーデックについて説明する。
図１２は、上記第２、第３実施例による無線部ＦＨの内部構成を示すブロック図である。
図１３は、上記第２、第３実施例によるチャネルコーデックの内部構成を示すブロック図である。
図１４は、上記第２、第３実施例による無線通信システムで用いるフレーム内部のチャネル構成を示す説明図である。
図１５は、上記第２、第３実施例による周波数ホッピングの例を示す説明図である。
図１６は、上記第２実施例による集中制御局の動作を示すフローチャートである。
電源立ち上げ時に、電波環境の測定を行い（Ｓ１９０１）、周波数チャネルをＦ１に切り換え、送受信待機する（Ｓ１９０２）。
次に、回線制御チャネルを受信し（Ｓ１９０３）、端末局登録要求であれば（Ｓ１９０４）、端末局の登録をする（Ｓ１９０５）。
回線制御チャネルを受信し（Ｓ１９０３）、端末局登録要求でなければ（Ｓ１９０４）、ＨＰ割り当て要求受信かどうかを判断し（Ｓ１９０６）、受信していれば、ノンリアルタイムデータ通信かどうかを判断する（Ｓ１９０７）。ノンリアルタイムデータ通信でなければ、リアルタイム用ＨＰを割り当て（Ｓ１９１１）、ＨＰ送信する（Ｓ１９１２）。
ノンリアルタイムデータ通信であれば（Ｓ１９０７）、リアルタイムデータ端末登録があるかどうかを調べる（Ｓ１９０８）。リアルタイムデータ端末登録があれば（Ｓ１９０８）、ノンリアルタイム用ＨＰを割り当て（Ｓ１９０９）、リアルタイムデータ端末登録がなければ（Ｓ１９０８）、リアルタイム用ＨＰとノンリアルタイム用ＨＰとの中から、ＨＰを割り当て（Ｓ１９１０）、ＨＰ送信する（Ｓ１９１２）。
集中制御局は、ＨＰ認識を受信すると（Ｓ１９１３）、ＨＰ開始を命令し（Ｓ１９１４）、ＨＰ解放要求を受信すると（Ｓ１９１５）、ＨＰ解放を終了する（Ｓ１９１６）。
図１７は、上記第２実施例による第一のコンピュータの動作を示すフローチャートである。
電源立ち上げ時に、制御用周波数チャネルをＦ１に設定する（Ｓ１００１）。この制御用周波数チャネルＦ１を設定すると、端末局登録内容をＦ１で送信する（Ｓ１００２）。
送信を終了すると、周波数チャネルＦ１で受信待機状態に入る（Ｓ１００３）。
次に、データ送信したければ（Ｓ１００４）、ＨＰ割り当て要求を送信する（Ｓ１００５）。そして、ＨＰ割り当てを受信すると（Ｓ１００６）、ＨＰ認識を送信する（Ｓ１００７）。
次に、ＨＰ開始を受信すると（Ｓ１００８）、第二のコンピュータに対しデータ送信する（Ｓ１００９）。
第二のコンピュータに対しデータ送信を終了すると（Ｓ１０１０）、ＨＰ解放要求を送信する（Ｓ１０１１）。そして、ＨＰ解放終了を受信すると（Ｓ１０１２）、ステップＳ１００３に戻る。
図１８は、上記第２実施例による第二のコンピュータの動作を示すフローチャートである。
電源立ち上げ時に、制御用周波数チャネルをＦ１に設定する（Ｓ１１０１）。この制御用周波数チャネルＦ１を設定すると、端末局登録内容をＦ１で送信し（Ｓ１１０２）、周波数チャネルＦ１で受信待機状態に入る（Ｓ１１０３）。
ＨＰ割り当てを受信すると（Ｓ１１０４）、ＨＰ認識を送信する（Ｓ１１０５）。
次に、ＨＰ開始を受信すると（Ｓ１１０６）、周波数ホッピングし、データを受信する（Ｓ１１０７）。
また、最後のデータを受信すると（Ｓ１１０８）、ステップＳ１１０３に戻る。
図１９は、上記第２実施例によるＨＰ割り当てシーケンスを示す説明図である。
端末局がＨＰ割り当て要求を出すと（１２０１）、集中制御局がＨＰ割り当てし（１２０２）、端末局がＨＰ認識し（１２０３）、集中制御極がＨＰ開始する（１２０４）。
その後、端末局がＨＰ開放要求を出すと（１２０５）、集中制御局がＨＰ開放終了する（１２０６）。
図２０は、上記第２実施例によるＨＰ割り当て動作を示すフローチャートである。
ＨＰ割り当て要求を受けると（Ｓ１３０１）、ノンリアルタイムデータ用ＨＰの要求であるかどうかを判別する（Ｓ１３０２）。
ノンリアルタイムデータＨＰ要求であれば、リアルタイムデータ通信端末登録があるかどうかを調べ（Ｓ１３０３）、端末登録がなければ、ノンリアルタイム用ＨＰとリアルタイムデータ用ＨＰグループの中からＨＰを決定する（Ｓ１３０５）。
リアルタイムデータ通信端末登録があれば（Ｓ１３０３）、ノンリアルタイムデータ用ＨＰグループの中からＨＰを決定する（Ｓ１３０４）。ノンリアルタイムデータ用ＨＰの要求でなければ（Ｓ１３０２）、リアルタイムデータ用ＨＰグループの中からＨＰを決定する（Ｓ１３０６）。
次に、未使用ＨＰが存在するかどうかを調べ（Ｓ１３０７）、未使用ＨＰが存在しなければ、未使用ＨＰなしの通知を行う（Ｓ１３１４）。未使用ＨＰが存在すれば（Ｓ１３０７）、ＨＰテーブルに仮登録を行い（Ｓ１３０８）、ＨＰ仮割り当てを行う（Ｓ１３０９）。
次に、ＨＰ認識に成功したかどうかを調べ（Ｓ１３１０）、ＨＰ認識が成功していなければ、ＨＰテーブルに未使用登録し（Ｓ１３１２）、ＨＰ認識が成功していれば（Ｓ１３１０）、ＨＰテーブルに使用登録し（Ｓ１３１１）、ＨＰ開始し（Ｓ１３１３）、終了する。
図２１は、上記第２実施例によるＨＰ解放動作を示すフローチャートである。
ＨＰ解放要求を受けると（Ｓ１４０１）、端末ＩＤ、ＨＰを確認する（Ｓ１４０２）。解放要求のＨＰが正常に割り当てられたＨＰでなければ、エラーを通知し（Ｓ１４０４）、ＨＰの解放を行わない。解放要求のＨＰが正常に確認できれば、ＨＰテーブルに未使用登録を行い（Ｓ１４０３）、ＨＰ解放終了を送る（Ｓ１４０５）。
図２２は、上記第３実施例による周波数ホッピングの例を示す説明図である。
図２３は、上記第３実施例におよる集中制御局のＲＡＭに記憶した内容の一例を示す説明図である。
図２４は、上記第３実施例における集中制御局の動作を示すフローチャートである。
図２５は、上記第３実施例における集中制御局の動作を示すフローチャートである。
まず、電源立ち上げ時、電波環境を測定し（Ｓ２９０１）、一定の受信ノイズレベル以下の周波数チャネルを、ＲＡＭ１２０３に記憶する（Ｓ２９０２）。次に、受信ノイズレベルの低い周波数チャネルから順位をつける（Ｓ２９０３）。
次に、無線端末の一定の受信ノイズレベル以下の周波数チャネルと順位情報を受信し（Ｓ２９０４）、集中制御局と無線端末で測定した周波数チャネル状況により、特定の受信ノイズレベル以下の周波数チャネルをＲＡＭ１２０３に記憶する（Ｓ２９０５）。そして、制御用周波数チャネルを決定し（Ｓ２９０６）、使用可能な周波数チャネルを決定する（Ｓ２９０７）。
次に、一定時間が経過したかどうかを判断する（Ｓ２９０８）。経過していなければ、周波数チャネルＦ３に切り換え、送受信待機する（Ｓ２９１６）。
また、一定時間が経過したら、制御用周波数チャネルを除く使用可能な周波数チャネルの電波環境を測定し（Ｓ２９０９）、一定の受信レベル以下の周波数チャネルをＲＡＭ１２０３に記憶し（Ｓ２９１０）、受信ノイズレベルの低い周波数チャネルから順位をつける（Ｓ２９１１）。
次に、無線端末の一定の受信ノイズレベル以下の周波数チャネルと順位情報を受信し（Ｓ２９１２）、集中制御局と無線端末で測定した周波数チャネル状況より、特定の受信ノイズレベル以下の周波数チャネルをＲＡＭ１２０３に記憶する（Ｓ２９１３）。そして、使用可能な周波数チャネルを決定し（Ｓ２９１４）、前回の周波数チャネルの記憶をＲＡＭ１２０３から消去する（Ｓ２９１５）。
次に、周波数チャネルＦ３に切り換え、送受信待機する（Ｓ２９１６）。そして、ＨＰ割り当て要求を受信すると（Ｓ２９１７）、ＨＰを割り当てる（Ｓ２９１８）。
次に、ＨＰ認識を受信すると（Ｓ２９１９）、ＨＰ開始を命令する（Ｓ２９２０）。
次に、ＨＰ解放要求を受信すると（Ｓ２９２１）、ＨＰ解放終了する（Ｓ２９２２）。
図２６は、上記第３実施例における第一のコンピュータの動作を示すフローチャートである。
電波環境を測定し（Ｓ２００１）、一定の受信ノイズレベル以下の周波数チャネルをメモリ１５０５に記憶し（Ｓ２００２）、受信ノイズレベルの低い周波数チャネルから順位をつける（Ｓ２００３）。そして、メモリ１５０５に記憶した周波数チャネルを集中制御局に通知し（Ｓ２００４）、制御用周波数チャネルをＦ３に設定する（Ｓ２００５）。
次に、制御用周波数チャネルを設定してから一定時間が経過したかどうかを判別する（Ｓ２００６）。そして、一定時間が経過したら、制御用周波数チャネルを除く使用可能な周波数チャネルの電波環境を測定し（Ｓ２００７）、一定の受信ノイズレベル以下の周波数チャネルをメモリ１５０５に記憶し（Ｓ２００８）、受信ノイズレベルの低い周波数チャネルから順位をつける（Ｓ２００９）。